(57)【要約】【課題】  断熱材、特に壁面に貼り付けた合成樹脂発泡体の断熱材（断熱パネル）を効率的かつ安全・確実に取り付けることにある。【解決手段】  断熱材取付用締結具１０は、断熱パネル８０を貫通し壁を構成する躯体９１に打ち込まれるビス材５０を挿通するための穿孔２２を有しながら、４枚の断熱パネル８０が隣接するコーナー部分を抑圧する平板状の締結具本体２０と、締結具本体２０の外縁２１から延伸し、４枚の断熱パネル８０それぞれに差し込まれる爪部３０と、を備えたことを特徴とする。【選択図】  図２
2018009403.tif 000002
【特許請求の範囲】
【請求項１】
断熱材を取り付けるための締結具であって、
ビス材を挿通するための穿孔を有しながら、複数の断熱材が隣接する部分を抑圧する平板状の締結具本体と、
締結具本体の外縁から延伸し、隣接する複数の断熱材のそれぞれに差し込まれる爪部と、
を備えたことを特徴とする取付用締結具。
【請求項２】
爪部の長さ１０〜２０ｍｍ、幅１０〜２０ｍｍ、先端頂部のＲ加工１〜３ｍｍであることを特徴とする請求項１記載の断熱材取付用締結具。
【請求項３】
締結具本体は、その中心部から直径１００ｍｍ以上の角形状であり、その厚みは１．２〜１．６ｍｍであることを特徴とする請求項１又は２記載の断熱材取付用締結具。
【請求項４】
請求項１から３のいずれかに記載の断熱材取付用締結具によって壁面に取り付けた合成樹脂発泡体の断熱材と当該断熱材の継目に貼付された防湿テープとからなる断熱構造体。
【請求項５】
請求項１から３のいずれかに記載の断熱材取付用締結具を用いて壁面に貼り付けた合成樹脂発泡体の断熱材を取り付ける工程と、
取り付けられた当該断熱材の継目に防湿テープを貼付する工程と、
を備えたことを特徴とする断熱構造体の施工方法。
【発明の詳細な説明】
【技術分野】
【０００１】
本願発明は、断熱材、特に壁面に貼り付けた（敷き詰めた）合成樹脂発泡体の断熱材（断熱パネル）を取り付けるための締結具に関するものである。
【背景技術】
【０００２】
冷凍倉庫などでは、倉庫の外壁に断熱工法（防熱工法）が施されている。これは、外壁に合成樹脂発泡体の断熱パネルを貼り付けて（敷き詰めて）、その上に外装材を取り付けるものである。
この断熱工法に関する先行技術としては、特許文献１又は２などが存在する。
【先行技術文献】
【特許文献】
【０００３】
【特許文献１】特許第５５８１１０８号公報
【特許文献２】特許第４１４９８９５号公報
【発明の概要】
【発明が解決しようとする課題】
【０００４】
ここで、断熱工法においては、従来より壁面に貼り付けた（敷き詰めた）合成樹脂発泡体の断熱パネルを取り付ける工法が必要になる。これまでは、１枚の断熱パネルごとにその四隅をビス材で固定していた。しかし、これでは、１枚の断熱パネルに４本のビス材と４回のビス留め作業（ビス材用の穴あけ作業も含む）が必要になっており、極めて非効率であった。
【０００５】
そこで、本願発明者は、効率的でありながらも断熱材、特に壁面に貼り付けた（敷き詰めた）合成樹脂発泡体の断熱材（断熱パネル）を安全・確実に取り付けることを目的として、本願発明を完成するに至った。
【課題を解決するための手段】
【０００６】
本願発明の第１の発明は、断熱材を取り付けるための締結具であって、ビス材を挿通するための穿孔を有しながら、複数の断熱材が隣接する部分を抑圧する平板状の締結具本体と、締結具本体の外縁から延伸し、隣接する複数の断熱材のそれぞれに差し込まれる爪部と、を備えたことを特徴とする断熱材取付用締結具である。
第２の発明は、爪部の形状が、長さ１０〜２０ｍｍ、幅１０〜２０ｍｍ、先端頂部のＲ加工１〜３ｍｍであることを特徴とする同断熱材取付用締結具である。
第３の発明は、締結具本体が、その中心部から直径１００ｍｍ以上の角形状であり、その厚みは１．２〜１．６ｍｍであることを特徴とする同断熱材取付用締結具である。
第４の発明は、上記した断熱材取付用締結具によって壁面に取り付けた合成樹脂発泡体の断熱材と当該断熱材の継目に貼付された防湿テープとからなる断熱構造体である。
第５の発明は、上記した断熱材取付用締結具を用いて壁面に貼り付けた（敷き詰めた）合成樹脂発泡体の断熱材を取り付ける工程と、取り付けられた当該断熱材の継目に防湿テープを貼付する工程と、を備えたことを特徴とする断熱構造体の施工方法である。
【発明の効果】
【０００７】
本願発明によれば、以下のような効果を有する。
（１）本願発明に係る断熱パネル取付用締結具を使用すれば、壁面に貼り付けた（敷き詰めた）合成樹脂発泡体の断熱パネルを取り付けるために、壁を構成する躯体の穴あけ作業及びビス材固定作業並びにビス材の使用本数が減る。
（２）断熱パネル取付用締結具に爪部を備えることで、断熱パネルへの圧締面積の拡大と断熱パネルの横ずれを防止できる。
（３）断熱パネル取付用締結具（締結具本体）が壁面に貼り付けた（敷き詰めた）断熱パネルのコーナー部分を抑圧することによって、断熱パネルの反りを矯正できる。また、それにより、断熱パネルの継目に防湿テープを貼付する作業（目地処理）が楽になる。
（４）断熱パネル取付用締結具（及びビス材）表面の防湿を、上記する目地処理と同時に行える。
（５）ビス材の使用本数が減ることで、ビス材による壁面と外気との熱橋を減らすことができる。
【図面の簡単な説明】
【０００８】
【図１】本実施形態に係る断熱パネル取付用締結具を示す説明図。
【図２】本実施形態に係る断熱構造体及びその施工方法を示す説明図（１）。
【図３】本実施形態に係る断熱構造体及びその施工方法を示す説明図（２）。
【図４】本実施形態に係る断熱構造体及びその施工方法を示す説明図（３）。
【図５】本願発明の実施例及び比較例の試験結果を示す表。
【発明を実施するための形態】
【０００９】
本願発明の実施形態を図面に基づいて説明する。
図１は、本実施形態に係る断熱パネル取付用締結具を示す説明図である。
図１（ａ）の正面図および図１（ｂ）の背面図に示すように、断熱材取付用締結具１０は、平板状の締結具本体２０と、締結具本体２０の外縁２１から延伸する４本の爪部３０を備える（図１（ｃ））。断熱材取付用締結具１０の材質は特に限定するものではないが、好ましくは金属製である。
【００１０】
締結具本体２０は、断熱材を貫通し壁を構成する躯体に打ち込まれるビス材を挿通するための穿孔２２を有する。
また、爪部３０は、締結具本体２０の外縁２１と重ねる部分を底辺とする略三角形をしている。
【００１１】
図２及び図３は、本実施形態に係る断熱構造体及びその施工方法を示す説明図である。
断熱材取付用締結具１０は、壁面９０に貼り付けられた（敷き詰められた）合成樹脂発泡体の断熱材である複数の断熱パネル８０を取り付けるために、例えば２枚、３枚、４枚など（本実施形態では４枚）複数の断熱パネル８０が隣接する部分（コーナー部分）に用いられる。締結具本体２０の穿孔２２を介してビス材５０が壁を構成する躯体９１に打ち込まれると、締結具本体２０はこのコーナー部分を抑圧するとともに、爪部３０がコーナー部分を形成する４枚の断熱パネル８０それぞれに差し込まれる。次に、このようにして壁面９０に取り付けられた断熱パネル８０，８０，…の継目に防湿テープ６０を貼付する。こうして、壁面９０の断熱構造体が完成する。
【００１２】
図４は、従来例と比較した本実施形態の効果を図示したものであるが、従来は壁面に貼り付けられた（敷き詰められた）１枚の断熱パネル８０ごとにその四隅をビス材５０で固定していた。しかし、これでは、１枚の断熱パネルに４本のビス材５０と４回のビス留め作業（ビス材５０用の穴あけ作業も含む）が必要になっていた。
【００１３】
これに対して、本実施形態では、例えば４枚の断熱パネル８０が隣接するコーナー部分ごとに１本のビス材５０で済むので、約１／４の本数と労力でよい。しかも、ビス材５０（断熱材取付用締結具１０）は、断熱パネル８０，８０，…の継目上に位置するので、断熱パネル８０の継目に防湿テープを貼付する作業（目地処理）がそのままビス材５０（断熱材取付用締結具１０）の防湿処理にもなるので、極めて効率的である。
【００１４】
図５は、本願発明の実施例及び比較例の試験結果を示す表である。
図５に示す実施例１乃至実施例３（本願発明の数値内）で作製した断熱材取付用締結具では、良好な効果が得られている。
これに対して、比較例１〜７では、次のような不具合が見受けられた。
比較例１では、爪部頂部のＲ加工が小さいために安全性に問題があった。
比較例２では、爪部が無いため、断熱パネルを締結できず、簡単に断熱パネルが外れてしまった。
比較例３では、爪部の底辺及び高さがともに大き過ぎるため、跳ね返しが大きかった。
比較例４では、爪部の底辺及び高さがともに小さいため、断熱パネルの引っ掛かりが小さく、断熱パネルが外れてしまった。
比較例５では、断熱材取付用締結具の大きさが小さいため、断熱パネルの角部が破損し、断熱パネルが外れてしまった。
比較例６では、断熱材取付用締結具の厚さが大きいため、跳ね返しが大きく、取り付けができなかった。
比較例７では、断熱材取付用締結具の厚さが小さいため、全体に強度不足で、差し込み性も悪く、頂部（先端）が鋭利で安全性も低く、更に断熱パネルが簡単に外れてしまった。
【産業上の利用可能性】
【００１５】
本願発明は、断熱材、特に壁面等に貼り付けられた（敷き詰められた）断熱材（断熱パネル）を取り付けるための断熱材取付用締結具として、幅広く利用できるものである。
【符号の説明】
【００１６】
１０  断熱材取付用締結具（締結具）
２０  締結具本体
２１  外縁
２２  穿孔
３０  爪部
５０  ビス材
６０  防湿テープ
８０  断熱パネル
９０  壁面
９１  躯体
【図１】
2018009403.tif 000003
【図２】
2018009403.tif 000004
【図３】
2018009403.tif 000005
【図４】
2018009403.tif 000006
【図５】
2018009403.tif 000007